(57)【特許請求の範囲】
【請求項１】
温室の妻面，屋根面あるいは側面における開口を形成する枠体と、この枠体に枢支されながら揺動時に上記開口を開閉する遮蔽体と、この遮蔽体の上記枠体に対する揺動を実現する駆動機構とを有してなる換気装置において、
上記駆動機構が上記枠体に保持された支持体と、この支持体に基端ウォームホイール部が枢支されながらこの支持体の外に突出する先端アーム部を上記遮蔽体に連結させた駆動アーム部材と、上記基端ウォームホイール部に先端ネジ部を噛合させながら上記支持体に保持された駆動軸とを有し、
上記支持体が上記枠体における上框部と下框部とに架け渡された帯状の基板部と、この基板部の温室内に対向する背面のほぼ中央部部分に保持された箱状のケース部とを有し、
上記駆動軸が上記支持体の外に突出する基端入力部にプーリを有し、
上記ケース部と上記プーリとの間に上記駆動軸の回転を阻害する回転阻害手段を介装し、
上記駆動軸が上記プーリ―を介して基端入力部への外力の入力で回動されて上記基端ウォームホイール部を回動し、この基端ウォームホイール部の回動で上記駆動アーム部材が上記先端アーム部を揺動させて上記遮蔽体を動かし、当該遮蔽体が上記開口を開閉してなることを特徴とする換気装置。
【請求項２】
上記ケース部内に上記基端ウォームホイール部を収装しながらこの基端ウォームホイール部を回動可能に枢支すると共にこの基端ウォームホイール部に噛合する上記駆動軸の先端ネジ部を回動可能に収装し、
上記基板部が上記基端ウォームホイール部に連設されて上記ケース部内から上記遮蔽体側に向けて突出する上記先端アーム部の挿通を許容し、
さらに、上記ケース部が上記基端入力部の温室内側への突出を許容してなる請求項１に記載の換気装置。
【請求項３】
上記駆動アーム部材が適宜の肉厚の板材からなり、ほぼ円板状に形成されて外周部に上記先端ネジ部を噛合させる複数となる歯を有する基端ウォームホイール部と、この基端ウォームホイール部に一体に連設される先端アーム部とを有してなる請求項１または請求項２に記載の換気装置。
【請求項４】
上記遮蔽体が温室内に対向する内側面に縦方向に配設される補助フレームと、この補助フレームに先端部が連結されて基端部が温室内側に向けられるリンク部材とを有し、
このリンク部材の基端部に上記駆動アーム部材の上記先端アーム部における先端部が枢着されてなる請求項１、請求項２または請求項３に記載の換気装置。
【請求項５】
上記回転阻害手段が圧縮されながら取り付けられるコイルばねを備え、このコイルばねで上記ケース部と上記プーリとを離間する方向に付勢することを特徴とする請求項１、請求項２、請求項３または請求項４に記載の換気装置。
【請求項６】
上記コイルばねがケース側端部に形成されるフック部を有し、上記ケース部を上記基板部に固定するナットに上記フック部を引掛けて回り止めされることを特徴とする請求項５に記載の換気装置。
【請求項７】
上記回転阻害手段が上記コイルばねと上記プーリとの間に介装されるワッシャを備えることを特徴とする請求項５または請求項６に記載の換気装置。
【請求項８】
上記コイルばねが円錐ばねであることを特徴とする請求項５または請求項７に記載の換気装置。
【発明の詳細な説明】
【技術分野】
【０００１】
この発明は、換気装置に関し、特に、ビニールハウスなどの温室の妻面，屋根面あるいは側面などに設けられて温室内の換気を可能にする換気装置の改良に関する。
【背景技術】
【０００２】
周知のように、ビニールハウスなどの温室にあっては、妻面，屋根面あるいは側面などに換気装置を設けて、温室内の温度を、たとえば、温室内で育成する植物に対して最適なようにする。
【０００３】
そのため、この種の換気装置として、これまでに種々の提案があるが、その中で、たとえば、特許文献１に開示の提案にあっては、外周に螺旋リブを有する操作ロッドの回動で遮蔽体たる窓体を動かして枠体たる窓枠が形成する開口を開閉する。
【０００４】
すなわち、特許文献１に開示されるところにあって、温室は、妻面あるいは屋根面に適宜のフレーム材からなる窓枠を有し、この窓枠は、たとえば、矩形の開口を形成し、この開口に合致する窓体を有してなる。
【０００５】
そして、開口が、たとえば、温室の妻面に形成される場合、窓体は、一辺部たる上辺部が窓枠における上框部に枢支されながら他辺部たる下辺部が下方に垂下されて揺動可能とされる一方で、上記の上框部の近傍部に上端部が保持される操作ロッド、つまり、上記の外周に螺旋リブを有する操作ロッドの回動で揺動されて開口を開閉する。
【０００６】
このとき、操作ロッドの上端部は、回動は可能とされるが上下方向および横方向の移動が規制された状態にして窓枠における上框部の近傍部に連結され、操作ロッドの下端部は、下方に垂下される。
【０００７】
そして、操作ロッドには、ほぼ筒状に形成されて内周に操作ロッドにおける螺旋リブを噛合させる構成を有するスライダが巻装され、このスライダにリンク部材を介して窓体が連結される。
【０００８】
それゆえ、この特許文献１に開示の提案にあっては、操作ロッドを回動することで、リンク部材の連結で言わば回動が阻止されているスライダが操作ロッドに副って上下動し、したがって、このスライダにリンク部材を介して連結される窓体が下辺部を揺動させて開口を開閉する。
【０００９】
したがって、上記した特許文献１に開示の提案にあっては、操作ロッドを人力で回動操作する場合はもちろんのこと、機械力で回動する場合にも、窓体による開口の開閉を実践し得て、温室内の換気を可能にし得る。
【先行技術文献】
【特許文献】
【００１０】
【特許文献１】特開２００５‐２４５２０３号公報（特許請求の範囲，図１参照）
【発明の概要】
【発明が解決しようとする課題】
【００１１】
しかしながら、上記した特許文献１に開示の提案にあっては、操作ロッドの回動で窓体による開口の開閉を通じて温室内の換気を実践し得る点で、基本的に問題がある訳ではないが、その実施化や利用にあって、些かの不具合があると指摘される可能性がある。
【００１２】
すなわち、上記した特許文献１に開示の提案にあって、操作ロッドは、たとえば、上端部を上方にして下端部を下方にする縦方向に配設される場合に、上端部が上下方向および横方向の移動を阻止された状態で窓枠における上框部の近傍部に回動可能に連結される。
【００１３】
そして、この操作ロッドにあっては、下端部も、上下方向および横方向の移動を阻止された状態で窓枠の下框部に回動可能に連結される。
【００１４】
したがって、この操作ロッドを回動することで、窓体の開閉動作を可能にする上記の提案にあっては、操作ロッドを有すること自体で換気装置を大掛かりにし易くなると共に、操作ロッドの上下端部を上下方向および横方向の動きを規制した状態下に回動可能に保持する機構が必須になり、全体として見るとき、装置全体の重量を大きくして、その設置に手間を要し易くなり、また、装置全体のコストの低減化を困難にして、その汎用性の向上を期待できなくする危惧がある。
【００１５】
のみならず、実際に操作することを鑑みると、操作ロッドの回動数を多くしないと窓体を大きく揺動できず、操作ロッドを人力で回動するとなると、作業者に多大な労力を強いることになり、また、駆動モータを利用するなどの機械力を利用する場合には、金属部分の磨耗が著しくなり、耐久性を期待できなくする危惧もある。
【００１６】
この発明は、上記した事情を鑑みて創案されたもので、その目的とするところは、開口の開閉で所定の換気を実践し得るのはもちろんだが、装置全体の重量を大きくせずして設置に手間を要せず、また、装置全体のコストの低減化を可能にして、さらには、その操作性を善くして作業性を向上させ、その汎用性の向上を期待するのに最適となる換気装置を提供することである。
【課題を解決するための手段】
【００１７】
上記した目的を達成するため、本発明の構成は、  温室の妻面，屋根面あるいは側面における開口を形成する枠体と、この枠体に枢支されながら揺動時に上記開口を開閉する遮蔽体と、この遮蔽体の上記枠体に対する揺動を実現する駆動機構とを有してなる換気装置において、
上記駆動機構が上記枠体に保持された支持体と、この支持体に基端ウォームホイール部が枢支されながらこの支持体の外に突出する先端アーム部を上記遮蔽体に連結させた駆動アーム部材と、上記基端ウォームホイール部に先端ネジ部を噛合させながら上記支持体に保持された駆動軸とを有し、
上記支持体が上記枠体における上框部と下框部とに架け渡された帯状の基板部と、この基板部の温室内に対向する背面のほぼ中央部部分に保持された箱状のケース部とを有し、
上記駆動軸が上記支持体の外に突出する基端入力部にプーリを有し、
上記ケース部と上記プーリとの間に上記駆動軸の回転を阻害する回転阻害手段を介装し、
上記駆動軸が上記プーリ―を介して基端入力部への外力の入力で回動されて上記基端ウォームホイール部を回動し、この基端ウォームホイール部の回動で上記駆動アーム部材が上記先端アーム部を揺動させて上記遮蔽体を動かし、当該遮蔽体が上記開口を開閉してなることを特徴とする。
【発明の効果】
【００１８】
それゆえ、この発明によれば、枠体あるいは近傍部に枢支される遮蔽体を動かして枠体が形成する開口を開閉させる駆動機構が全体的に見て枠体側に保持される構成とされると共に、前記した特許文献１の開示の提案にあるような縦方向に長尺となる操作ロッドを有しないから、装置全体のいたずらな大型化を回避することが可能になる。
【００１９】
このとき、遮蔽体を動かす外力は、駆動機構における駆動アーム部材を揺動させる駆動軸に入力されるが、この駆動軸を横方向に延在させるとき、必要最小限度の軸長さを有するように形成することで、駆動機構をいたずらに大型化させない。
【００２０】
そして、駆動軸に依存する駆動アーム部材における基端ウォームホイール部の回動は僅かで足りるから、遮蔽体を揺動させるのについて、作業者をして多大な労力を要せず、作業性が向上される。
【００２１】
また、駆動軸に依存する駆動アーム部材における基端ウォームホイール部の回動は僅かで足り、したがって、駆動アーム部材における基端ウォームホイール部に形成される歯数が少数で足り、駆動アーム部材の形成が容易になり、駆動アーム部材における部品コストを安価にし得る。
【００２２】
そしてまた、駆動アーム部材にあって、基端ウォームホイール部と先端アーム部とを一体に形成する場合には、部品点数の削減を可能にし得ることになり、上記した少数の歯の形成も含めて、部品製作を容易にして部品コストの一層の低減化を可能にする。
【００２３】
その結果、この発明にあっては、装置全体の大型化を回避し得るから、装置全体の重量を大きくせずして設置に手間を要せず、また、駆動機構における部品コストを安価にし得るから、装置全体のコストの低減化を可能にし、さらには、作業性を善くして、その汎用性の向上を期待するのに最適となる。
【図面の簡単な説明】
【００２４】
【図１】本発明の一実施の形態における換気装置が設置された状態の温室を示す斜視図である。
【図２】本発明の一実施の形態における換気装置の温室内から観た設置状態を一部破断して示す斜視図である。
【図３】本発明の一実施の形態における換気装置の駆動機構部分を一分破断して示す拡大斜視図である。
【図４】本発明の他の実施の形態における換気装置を部分的に示す拡大側面図である。
【図５】本発明の他の実施の形態における換気装置を部分的に分解して示す拡大斜視図である。
【発明を実施するための形態】
【００２５】
以下に、図示した実施形態に基づいて、この発明を説明するが、一実施の形態における換気装置は、図１に示すように、ビニールハウスからなる温室Ｈの妻面Ｈ１，屋根面Ｈ２あるいは側面Ｈ３のいずれか選択された単一の面、あるいは、複数の面に設けられる。
【００２６】
ちなみに、換気装置は、温室Ｈがビニールハウスの場合には、このビニールハウスを形成する縦方向部材としてのアーチ部材（図２中の符号Ｐ参照）や横方向部材としての桁部材（図示せず）に一体的に連結され、また、温室Ｈがガラスハウスの場合には、同じく縦方向部材としての柱部材（図示せず）や横方向部材としての桁部材（図示せず）に一体的に連結されて、安定した状態に配設される。
【００２７】
そして、この換気装置は、温室Ｈの妻面Ｈ１，屋根面Ｈ２あるいは側面Ｈ３における開口部（符示せず）を形成し、この開口部の開口（符示せず）を開閉することで温室Ｈ内の換気を可能にする。
【００２８】
そのため、この換気装置が設けられる妻面Ｈ１，屋根面Ｈ２あるいは側面Ｈ３にあっては、開口を形成する部位にあって、ビニールシートやガラス板などの展設体の配設が省略されるのはもちろんであるが、この展設体の配設の省略は、いわゆる防虫の点からは不利になるので、図示しないが、多くの場合に、温室Ｈ内側からあるいは温室外側から上記の開口に防虫ネットＮ（図１参照）が着脱可能にあるいは固定的に展設されるとし、その場合には、後述する駆動機構３において、展設される防虫ネットＮとの干渉を回避する配慮がなされる。
【００２９】
なお、換気装置は、図１に示すように、いわゆる連続する状態に配設されても良く、また、これに代えて、図示しないが、いわゆる独立にする状態に配設されて、相隣する換気装置との間に間隔が設けられても良い。
【００３０】
そして、図示する実施形態にあっては、すなわち、図２および図３に示すところでは、この発明の換気装置が温室Ｈにおける妻面Ｈ１に設けられるとする。
【００３１】
以下に詳しく説明すると、この発明による本実施の形態における換気装置は、図２に示すように、枠体たる窓枠１と、遮蔽体たる窓体２と、駆動機構３とを有してなり、駆動機構３の作動するところで、窓体２が窓枠１にいわゆる離着座するように動いて、窓枠１が形成する開口を開閉する。
【００３２】
すなわち、まず、枠体たる窓枠１は、所定の機械的強度を有するフレーム材からなり、図示するところでは、正面視において、縦長さに比較して横長さが長くなる横長の矩形の開口を形成するが、これに代えて、図示しないが、正面視において、横長さに比較して縦長さが長くなる縦長の矩形の開口を形成するとしても良い。
【００３３】
また、この換気装置が機能するところを鑑みると、窓枠１が形成する開口のいわゆる正面形状については、上記した矩形に限定されないのはもちろんで、この換気装置を設ける妻面Ｈ１におけるいわゆる正面形状に起因するなどして矩形以外の任意の形状が選択されて良い。
【００３４】
ちなみに、窓枠１については、基本的には、単独で所定の大きさの開口を画成するように形成されるのが常態であろうが、この発明が意図するところからすれば、前記した温室Ｈを形成する柱部材や桁部材の利用あるいは併用で窓枠１が形成されて窓体２で開閉される開口が画成されるとしても良いことはもちろんである。
【００３５】
つぎに、遮蔽体たる窓体２は、いわゆる開閉窓などと称されるもので、後述する駆動機構３の作動によるが、その動きで、上記の窓枠１が形成する開口を開閉する。
【００３６】
すなわち、図示するところでは、窓体２は、上記した横長の矩形に形成の開口に相応するように横長の矩形の正面形状を有するように形成され、一辺部たる上辺部２ａが窓枠１の上框部 １ａに、あるいは、この上框部１ａを連結させる左右の縦框部１ｃに枢支されて他辺部たる下辺部２ｂが揺動可能とされ、この下辺部２ｂが窓枠１の下框部１ｂに隣接するとき開口を閉塞する。
【００３７】
ちなみに、この窓体２にあっては、要は、開口を開閉すれば足りるから、上辺部２ａが窓枠１の上框部１ａや縦框部１ｃでなく上框部１ａの上方部たる近傍部に枢着されても良いこともちろんである。
【００３８】
また、この窓体２は、開口を開閉することを主眼とするから、いわゆる枠部分以外の部分が採光を不能にする不可視性の板材やシート類で形成されても良いが、この換気装置も採光に寄与するのであれば、いわゆる枠部分以外の部分が可視性に富むガラス板や合成樹脂板、さらには、樹脂性シート材やフィルム材で形成されるのが良い。
【００３９】
一方、この窓体２は、後述する駆動機構３によって下辺部２ｂが揺動されて開口を開閉するが、駆動機構３の作動で円滑に開閉作動し得るようにする配慮がなされている。
【００４０】
すなわち、この窓体２は、温室Ｈ内に対向する内側面に縦方向に配設されて上辺部２ａと下辺部２ｂとに架け渡されるように連結される補助フレーム２１を有しており、この補助フレーム２１にリンク部材２２の先端部を枢着させている。
【００４１】
そして、このリンク部材２２は、基端部が温室Ｈ内側に延在されて、後述する駆動機構３に連結されるが、このとき、駆動機構３がいわゆる中央部に設けられることもあって、図示するところでは、窓体２の開閉を左右でバランス良くするためにリンク部材２２が左右で一対とされ、したがって、このリンク部材２２が連結される補助フレーム２１も左右で一対になるように設定されている。
【００４２】
それゆえ、この窓体２にあっては、駆動機構３からの作動力がリンク部材２２および補助フレーム２１を介して円滑に作用することで、下辺部２ｂが揺動されて、開口を開閉する。
【００４３】
なお、上記の補助フレーム２１およびリンク部材２２は、駆動機構３からの作動力を円滑に窓体２に伝達するために設けられるが、原理的には、すなわち、駆動機構３からの作動力が窓体２に伝達される限りには、この補助フレーム２１およびリンク部材２２の配設が省略されても良いことはもちろんである。
【００４４】
ちなみに、上記の補助フレーム２１およびリンク部材２２の配設が省略される場合には、窓体２のいわゆる厚さを小さくでき、装置全体の嵩張りを抑制する上で有利となる。
【００４５】
ところで、この発明の換気装置は、上記した窓枠１および窓体２の他に駆動機構３を有してなり、この駆動機構３は、図３にも示すように、支持体４と、駆動アーム部材５と、駆動軸６とを有し、駆動軸６が外力の入力で回動されて駆動アーム部材５を回動し、この駆動アーム部材５が窓体２を動かして窓枠１が形成する開口を開閉する。
【００４６】
少し説明すると、支持体４は、駆動機構３を構成するのはもちろんであるが、駆動アーム部材５と駆動軸６とを保持するケース体としても機能するもので、その限りにおいて、所定の機械的強度を有するように形成される。
【００４７】
そして、この支持体４にあっては、図示するところでは、適宜の肉厚の帯状に形成の基板部４１が窓枠１における上框部１ａと下框部１ｂとに架け渡される状態に連結され、この基板部４１の温室Ｈ内に対向する背面のほぼ中央部部分に保持されるように所定の機械的強度を有する箱状に形成のケース部４２が配設される。
【００４８】
ところで、上記の基板部４１は、窓枠１の内側から窓枠１における上框部１ａと下框部１ｂとに架け渡される状態に連結されるが、このとき、窓枠１の内側には、詳しくは図示しないが、防虫ネットＮが温室Ｈ内側から窓枠１全体を覆うようにあらかじめ展設される。
【００４９】
このことからすると、上記の基板部４１は、防虫ネットＮにいわゆる裏側から重ねられるように配設されることになり、その結果、この基板部４１に形成されて後述する駆動アーム部材５における先端アーム部５ｂを挿通させるスリット４１ａには、防虫ネットＮの展設が避けられる。
【００５０】
そして、このとき、スリット４１ａを避ける防虫ネットＮの端部は、これが基板部４１に連結される展設が避けられる。
【００５１】
一方、上記のケース部４２内には、駆動軸６の先端ネジ部６ａと共に駆動アーム部材５の基端ウォームホイール部５ａが収装されるが、この駆動アーム部材５にあっては、基端ウォームホイール部５ａに一体に連設されてこのケース部４２内から外部、すなわち、窓体２側に先端アーム部５ｂを突出させるので、上記の基板部４１がこの先端アーム部５ｂの突出を許容する縦スリット４１ａを有してなる（図３参照）。
【００５２】
また、駆動アーム部材５は、基端ウォームホイール部５ａが支持体４におけるケース部４２内に収装可能なように形成されるとし、図示するところでは、適宜の肉厚のほぼ円板状に形成されて外周部に複数となる歯５ｃを有すると共に、いわゆる縦置きされながら中心部がケース部４２に枢着されて縦方向の回動が許容されてなる。
【００５３】
そして、この駆動アーム部材５にあっては、基端ウォームホイール部５ａから一体に延設されてケース部４２の外に突出する先端アーム部５ｂを有し、この先端アーム部５ｂは、基板部４１に形成の上記の縦スリット４１ａを挿通して前記した窓体２側のリンク部材２２の基端部に連結される。
【００５４】
ちなみに、駆動アーム部材５にあって、基端ウォームホイール部５ａから一体に延設される先端アーム部５ｂは、要は、基端ウォームホイール部５ａの回動時に同期して揺動すれば足りるから、基端ウォームホイール部５ａからの延設方向は任意とされて良いが、図示するところでは、基端ウォームホイール部５ａの外周側部からほぼ接線方向に延設されてなる。
【００５５】
それゆえ、この駆動アーム部材５にあっては、基端ウォームホイール部５ａの回動に同期して先端アーム部５ｂが縦方向に揺動するから、リンク部材２２および補助フレーム２１を介してであるが、窓体２の下辺部２ｂが窓枠１の下框部１ｂに遠近するようにして、窓体２による窓枠１が形成する開口の開閉を可能にし得る。
【００５６】
なお、以上からすれば、この駆動アーム部材５にあっては、基端ウォームホイール部５ａに先端アーム部５ｂを一体に有する構成とされるから、この駆動アーム部材５を、たとえば、打ち抜き成形で形成し得ることになり、部品コストの低減を図れる。
【００５７】
そして、この駆動アーム部材５は、上記の打ち抜き成形による他、たとえば、レーザーを利用する切り出し成形や、ダイカストを含む鋳造、あるいは、鍛造で形成されても良いことはもちろんである。
【００５８】
また、この駆動アーム部材５にあっては、基端ウォームホイール部５ａの外周部の形成される歯５ｃの数は、最小限度の歯数とされて良く、図中に仮想線図で示すように歯５ｃの形成を省略して歯数を最小限度にする場合には、この駆動アーム部材５の軽量化を可能にし得ると共に、この駆動アーム部材５の製作を容易にし、部品コストの低減を可能にする上で有利になる。
【００５９】
そして、駆動アーム部材５にあって、基端ウォームホイール部５ａに形成される歯５ｃの数を最小限度の歯数にする場合に、基端ウォームホイール部５ａにおける所定の機械的強度が保障される限りにおいて、図示しないが、基端ウォームホイール部５ａに欠落部を設けることで、駆動アーム部材５における一層の軽量化を可能にし得ると共に、この駆動アーム部材５の製作を一層容易にし、また、この駆動アーム部材５における部品コストの一層の低減化を可能にし得る。
【００６０】
一方、この駆動機構３にあって、駆動軸６は、上記の支持体４を形成するケース部４２内に先端ネジ部６ａを収装させ、この先端ネジ部６ａは、同じくこの上記のケース部４２内に収装の上記した駆動アーム部材５の基端ウォームホイール部５ａに噛合する。
【００６１】
このとき、この駆動軸６は、軸線方向が横方向とされながら窓体２のいわゆる窓面に直交する方向になるとしており、このように設定されることで、開口におけるいわゆる通気面積をいたずらに減殺しないで済む。
【００６２】
そして、この駆動軸６は、先端ネジ部６ａを上記のケース部４２内に収装する一方で、基端入力部６ｂをケース部４２の外、すなわち、温室Ｈ内に突出させており、このとき、先端ネジ部６ａと基端入力部６ｂとの境界部分が上記のケース部４２に回動可能に嵌着されて、特に、駆動軸６が軸線方向に移動し得ないように定着されている。
【００６３】
また、この駆動軸６にあっては、基端入力部６ｂに二条の溝６１ａ，６１ｂを有するプーリ６１を固定状態に有し、このプーリ６１の各溝６１ａ，６１ｂには、牽引ロープ６２，６３がそれぞれ掛け回される。
【００６４】
そして、各牽引ロープ６２，６３がそうであるが、たとえば、図示するところによれば、一方の牽引ロープ６２の端部が一方の溝６１ａにピン６２ａの利用で連結され、したがって、他方の牽引ロープ６３も同様とされることで、基端入力部６ｂが、たとえば、人力による牽引ロープ６２の移動で確実に回動される。
【００６５】
以上のように、上記のプーリ６１に巻装される牽引ロープ６２，６３がピン６２ａの利用などで各溝６１ａ，６１ｂに固定状態に連結される場合には、図示しないが、この牽引ロープ６２に代えて、チェーンが巻装される場合と同様に、駆動軸６の回動を確実に実現できる点で有利となる。
【００６６】
なお、図示するところに代えて、プーリ６１の二条の溝６１ａ，６１ｂにそれぞれ各牽引ロープ６２，６３がエンドレス状態に掛けまわされる場合には、二本となる各牽引ロープ６２，６３がいわゆる往復回動のいずれか一方用に設定されることで、各牽引ロープ６２の耐久性を向上できると共に、仮に、いずれか一方の牽引ロープ６２が破断などしても、他方の牽引ロープ６２を利用でき、窓体２の開閉動作を保障できる。
【００６７】
ここで、この発明の駆動機構３における操作性と、前記した特許文献１に開示の駆動機構における操作性とを比較すると、この発明の駆動機構３における操作性の方が遥かに優れることが解る。
【００６８】
つまり、特許文献１に開示の駆動機構にあっては、公報中の図６に開示されているように、螺旋リブを有する操作ロッドたるねじ桿（１４）を回動してこのねじ桿（１４）に巻装されるスライダ（１５）を昇降させ、このスライダ（１５）に枢着されるリンク（１０）を介して窓体の下端側を揺動させて開口を開閉する。
【００６９】
それゆえ、この特許文献１に開示の駆動機構にあっては、ねじ桿（１４）を多数回に亘って回動させて、スライダ（１５）を大きいストロークで昇降させないと、スライダ（１５）に連結されるリンク（１０）の角度が大きく変わらず、したがって、窓体を速やかに揺動させて開口を開閉するのが容易でない。
【００７０】
それに対して、この発明の駆動機構３にあっては、駆動軸６を一回転させていわゆる１ピッチ分駆動アーム部材５における基端ウォームホイール部５ａを回動させると、その回動分先端アーム部５ｂが揺動し、リンク部材２２を介して窓体２を直ちに揺動され、開口の開閉が速やかに実現される。
【００７１】
その結果、この発明にあっては、前記した特許文献１に開示の技術に比較して、開口を開閉する窓体２の揺動を容易にして速やかに実現し得る点で有利となる。
【００７２】
以上からすると、この駆動軸６は、人力で回動操作されるのが、製品コスト的にも、また、使用経済的にも有利となるが、この発明の換気装置が、たとえば、温室Ｈの屋根面Ｈ１に設けられる場合には、人力で牽引ロープ６２を移動させて駆動軸６を回動させるのは容易でなく、このことを鑑みると、図示しないが、上記の基端入力部６ｂに電動モータの駆動源が連結されるとしても良く、この場合には、いわゆる遠隔操作を可能にし得る点で有利となろう。
【００７３】
ちなみに、前記した特許文献１に開示の提案にあっては、駆動機構（４）の構成が複雑になるので、金属部分が多く、したがって、駆動モータなどの機械力の利用が金属磨耗を招き易くなる点で好ましくなかったが、この発明における駆動機構３は、駆動アーム部材５と駆動軸６とを有する簡素な構造となるので、駆動モータなどの機械力を利用するとしても、金属磨耗が発現され難くなる。
【００７４】
以上のように形成されたこの発明による本実施の形態における換気装置にあっては、窓枠１および窓体２の構成については、この種の換気装置において汎用されているもの、たとえば、特許文献１に開示の換気装置におけるものが流用されて良く、その意味では、特許文献１に開示の換気装置における駆動機構（４）をこの発明における駆動機構３に置き換えるだけで、この発明を具現化できる利点がある。
【００７５】
そして、この発明にあっては、特許文献１に開示の換気装置と比較からして、縦方向に配設される螺旋リブ付きの操作ロッドを有しなくて済むから、装置全体の嵩張りを抑制できると共に、重量の削減を可能にするから、その取り扱いを容易にし、前記した製品コストの低減化にも起因して、その汎用性の向上を期待できる。
【００７６】
前記したところでは、駆動アーム部材５はともかくとして、駆動軸６が軸線方向を横方向としながら窓体２のいわゆる窓面に直交する方向になるとしたが、これに代えて、図示しないが、駆動軸６における軸線方向が横方向とされながら上記窓面に沿う方向とされも良い。
【００７７】
また、前記したところでは、窓体２は、温室Ｈの側面Ｈ２や妻面Ｈ３を形成するビニールシートなどの展設体と縁が切れているとしたが、これに代えて、図示しないが、上記の側面Ｈ２や妻面Ｈ３を形成するビニールシートなどの展設体で温室Ｈの外側から覆われてなるとしても良い。
【００７８】
次に、本発明の他の実施の形態について説明する。当該実施の形態は、図４に示すように、上記プーリ６１と上記ケース部４２との間に回転阻害手段７を介装した点においてのみ一実施の形態と異なり、他の構成及び効果については一実施の形態と同様であるため、同一符合を付してその詳細な説明を省略する。
【００７９】
上記回転阻害手段７は、図５に示すように、駆動軸６の基端入力部６ｂ外周に装着されてなり、ケース部４２側に圧縮されながら取り付けられるコイルばね７０と、このコイルばね７０とプーリ６１との間に介装されるワッシャ７１とを備えてなり、コイルばね７０でケース部４２とプーリ６１とを離間する方向に付勢して駆動軸６の回転を阻害する。
【００８０】
上記コイルばね７０は、ケース部４２側からプーリ６１側にかけて拡径して略円錐状に形成される円錐ばねであり、コイルばね本体７０ａと、このコイルばね本体７０ａのケース部４２側端部に形成されるフック部７０ｂとからなり、ケース部４２を基板部４１に固定するナット８にフック部７０ｂを引掛けて回り止めされる。
【００８１】
したがって、本実施の形態においては、風等の影響で窓体２が煽られて基端ウォームホイール部５ａから先端ネジ部６ａに繰り返し外力が加わることにより、駆動軸６が回転を始めることを上記回転阻害手段７で阻止することが可能となり、駆動軸６が回転を始めて窓体２の自重で開口が閉じることを防止することが可能となる。
【００８２】
つまり、基端ウォームホイール部５ａと先端ネジ部６ａの減速比を大きくすることなく窓体２側からの力の入力により開口が閉じることを防止することが可能となる。
【００８３】
また、回転阻害手段７をケース部４２とプーリ６１との間に介装することにより、駆動軸６の回転を容易に阻害することが可能となる。
【００８４】
また、上記ワッシャ７１を備えることにより、プーリ６１を回転したとき、コイルばね７０でプーリ６１を傷つけることがない。
【００８５】
また、コイルばね７０を円錐ばねとすることにより、図４に示すようにコイルばね７０を圧縮させたとき、コイルばね７０の軸方向長さを短くすることが可能となり、小さいスペースに回転阻害手段７を収容することが可能となる。
【００８６】
尚、上記回転阻害手段７の構成は、上記の限りではなく、窓体２側からの外力の入力により駆動軸６が回転を始めることを阻止し得る限りにおいて、適宜構成を選択することが可能である。
【００８７】
例えば、図示しないが、回転阻害手段７を先端ネジ部６ａとケース部４２との間に介装しても良く、コイルばね７０に替えてケース部４２とプーリ６１との間に摩擦を生じさせる摩擦体を介装し回転阻害手段を構成するとしても良い。
【００８８】
また、コイルばね７０の形状を円柱状に形成するとしても良いことは勿論であり、必ずしもワッシャ７１を備える必要はない。
【産業上の利用可能性】
【００８９】
ビニールハウスなどからなる温室にあって、妻面，屋根面あるいは側面などに設けられて、温室内の換気を可能にし、温室内の温度を、たとえば、育成する植物に対して最適なようにするのに向く。
【符号の説明】
【００９０】
１  枠体たる窓枠
１ａ  上框部
１ｂ  下框部
１ｃ  縦框部
２  遮蔽体たる窓体
２ａ  一辺部たる上辺部
２ｂ  他辺部たる下辺部
３  駆動機構
４  支持体
５  駆動アーム部材
５ａ  基端ウォームホイール部
５ｂ  先端アーム部
６  駆動軸
７  回転阻害手段
６ａ  先端ネジ部
６ｂ  基端入力部
２１  補助フレーム
２２  リンク部材
４１  基板部
４１ａ  縦スリット
４２  ケース部
６１  プーリ
６２  牽引ロープ
７０  コイルばね
７１  ワッシャ
Ｈ  温室
Ｈ１  妻面
Ｈ２  側面
Ｈ３  屋根面
Ｎ  防虫ネット
Ｐ  縦方向部材たるアーチ部材
【図１】
0005839536.tif 000002
【図２】
0005839536.tif 000003
【図３】
0005839536.tif 000004
【図４】
0005839536.tif 000005
【図５】
0005839536.tif 000006